(57)【要約】【課題】平面視での占有スペースを抑えると共に低背化を実現する。【解決手段】中央部分に開口部１０を有するベース１と、開口部１０に配置されるようにベース１に支持され、弾性体受部２６を有する導光体２と、ベース１に対して接離可能に取り付けられて導光体２を覆うボタン３と、導光体２の弾性体受部２６とボタン３の内面との間に配置され、ベース１に対してボタン３を離間方向へと付勢する弾性体４と、固定接点４７を有し、ベース１に取り付けられる固定接触片４１と、ベース１に対してボタン３を接近方向に動作させることによって固定接点４７に閉成する可動接点５８を有する可動接触片４２とを備える。【選択図】図３
2018156733.tif 000002
【特許請求の範囲】
【請求項１】
中央部分に開口部を有するベースと、
前記開口部に配置されるように前記ベースに支持され、弾性体受部を有する導光体と、
前記ベースに対して接離可能に取り付けられて前記導光体を覆うボタンと、
前記弾性体受部と前記ボタンの下面との間に配置され、前記ベースに対して前記ボタンを離間方向へと付勢する弾性体と、
固定接点を有し、前記ベースに取り付けられる固定接触片と、
前記ベースに対して前記ボタンを接近方向に動作させることによって前記固定接点に閉成する可動接点を有し、前記ベースに取り付けられる可動接触片と、
を備える、キースイッチ装置。
【請求項２】
前記導光体の上端は、前記ベースの上端よりも下方側に配置されている、請求項１に記載のキースイッチ装置。
【請求項３】
前記導光体は、円錐台形状の導光本体と、前記導光本体から径方向に突出する前記弾性体受部とを有する、請求項２に記載のキースイッチ装置。
【請求項４】
前記導光体の下部にＬＥＤが配置される凹部が形成されている、請求項１から３のいずれか１項に記載のキースイッチ装置。
【請求項５】
押圧部を有し、前記ベースに上下方向にスライド可能に支持され、前記ボタンの押込操作によって下方に移動するスライダを、前記可動接触片の近傍にさらに備え、
前記可動接触片は、前記押圧部に押圧される押圧受部を有し、
前記スライダは、下方に移動する際、前記押圧部が前記押圧受部を乗り越えた後、前記押圧受部を下方に付勢し、前記ベース又はボタンの一部に衝突させて音を発生させるように構成されている、請求項１から４のいずれか１項に記載のキースイッチ装置。
【発明の詳細な説明】
【技術分野】
【０００１】
本発明は、主に、キーボードに使用されるキースイッチ装置に関するものである。
【背景技術】
【０００２】
従来、キースイッチ装置として、例えば、ベースから筒状のガイドポストを突出させ、このガイドポストの内径側で導光体をガイドし、外径側に配置したコイルスプリングで、ボタンを押込可能に弾性支持した構成のキーボードスイッチが公知である（例えば、特許文献１参照）。
【０００３】
しかしながら、前記従来のキースイッチ装置では、ガイドポストが必要で、その分平面視での占有面積が大きくなる。また、導光体がベースの上面から突出しており、高さ寸法が大きい。
【先行技術文献】
【特許文献】
【０００４】
【特許文献１】中国特許出願公開第１０４８５１７２７号明細書
【発明の概要】
【発明が解決しようとする課題】
【０００５】
本発明は、平面視での占有スペースを抑えると共に低背化を実現できるキースイッチ装置を提供することを課題とする。
【課題を解決するための手段】
【０００６】
本発明は、前記課題を解決するための手段として、
中央部分に開口部を有するベースと、
前記開口部に配置されるように前記ベースに支持され、弾性体受部を有する導光体と、
前記ベースに対して接離可能に取り付けられて前記導光体を覆うボタンと、
前記弾性体受部と前記ボタンの下面との間に配置され、前記ベースに対して前記ボタンを離間方向へと付勢する弾性体と、
固定接点を有し、前記ベースに取り付けられる固定接触片と、
前記ベースに対して前記ボタンを接近方向に動作させることによって前記固定接点に閉成する可動接点を有し、前記ベースに取り付けられる可動接触片と、
を備える、キースイッチ装置を提供する。
【発明の効果】
【０００７】
本発明によれば、導光体をベースの開口部に配置し、弾性体を導光体の弾性体受部に直接圧接させるようにしたので、平面視での占有面積を抑制しつつ、低背化を実現できる。
【図面の簡単な説明】
【０００８】
【図１】本実施形態に係るキースイッチ装置の斜視図である。
【図２】図１からボタンを外した状態を示す斜視図である。
【図３】図１に示すキースイッチ装置の分解斜視図である。
【図４Ａ】図３のベースの斜視図である。
【図４Ｂ】図４Ａを下方側から見た斜視図である。
【図５Ａ】図３の導光体を上方側から見た斜視図である。
【図５Ｂ】図５Ａの導光体を下方側から見た斜視図である。
【図６Ａ】図３のボタンを上方側から見た斜視図である。
【図６Ｂ】図６Ｂのボタンを下方側から見た斜視図である。
【図７Ａ】図３の固定接触片の斜視図である。
【図７Ｂ】図７Ａの固定接触片を異なる角度から見た斜視図である。
【図８Ａ】図３の可動接触片の斜視図である。
【図８Ｂ】図８Ａの可動接触片を異なる角度から見た斜視図である。
【図９Ａ】図３のスライダの斜視図である。
【図９Ｂ】図９Ａのスライダを異なる角度から見た斜視図である。
【図１０】図１に示すキースイッチ装置の正面断面図である。
【図１１】図１に示すキースイッチ装置の斜視断面図である。
【発明を実施するための形態】
【０００９】
以下、本発明に係る実施形態を添付図面に従って説明する。なお、以下の説明では、必要に応じて特定の方向や位置を示す用語（例えば、「上」、「下」、「側」、「端」を含む用語）を用いるが、それらの用語の使用は図面を参照した発明の理解を容易にするためであって、それらの用語の意味によって本発明の技術的範囲が限定されるものではない。また、以下の説明は、本質的に例示に過ぎず、本発明、その適用物、あるいは、その用途を制限することを意図するものではない。さらに、図面は模式的なものであり、各寸法の比率等は現実のものとは相違している。
【００１０】
図１は、本実施形態に係るキースイッチ装置の全体を示す斜視図である。図２は、図１からボタン３を取り外した状態を示す斜視図である。図３は、図１のキースイッチ装置の分解斜視図である。このキースイッチ装置は、ベース１、導光体２、ボタン３、コイルスプリング４、接点開閉機構５、スライダ６、昇降機構７を備える。
【００１１】
図４Ａ及び図４Ｂに示すように、ベース１は、合成樹脂材料を成形加工したもので、底部８と方形枠部９とを備える。
【００１２】
底部８には平面視円形状の開口部１０が形成されている。開口部１０の内周面には、上下方向の中央部分に環状の係止受部１１が形成されている。係止受部１１には、後述するように導光体２の係止爪２９ａが係止される。
【００１３】
開口部１０の近傍には第１取付台１２と第２取付台１３とが形成されている。第１取付台１２の側面には上下方向に延びる第１係止溝１４が形成されている。底部８には、第１係止溝１４に連続して下面に連通する第１端子孔１５が形成されている。また第１取付台１２は、上面が凸状の円弧面で構成された第１係止突条１６を備える。第２取付台１３も第１取付台１２と同様な構成で、第２係止溝１７及び第２係止突条１８を備え、底部８には第２係止溝１７に連通する第２端子孔１９が形成されている。第１取付台１２には固定接触片４１が固定され、第２取付台１３には可動接触片４２が固定される。また底部８の一側部上面には、中央部に平面視矩形状の窪み部２０ａが形成されている。また、底部８の４隅には窪み部２０ｂがそれぞれ形成されている。窪み部２０ｂの底面には、ボタン３を押し下げた際、後述するボタン３の当接部３６の下端が当接し、ボタン３のそれ以上の移動が制限される。
【００１４】
方形枠部９は、対向する２組の側面壁２１ａ，２１ｂで構成され、それらの外側には鍔部２２が形成されている。鍔部２２は、後述する昇降機構７の支持に使用される。対向する側面壁２１ａの外側では、鍔部２２の外側に押出防止壁２３が形成されている。押出防止壁２３は、第１アーム６７及び第２アーム６８が側方に押し出されるのを防止する。対向する側面壁２１ａの外面中央部には、凹所２４が形成されている。凹所２４は、側面壁２１ａの上半部が幅狭の溝部２４ａで構成され、下半部が溝部２４ａよりも広がった逃がし凹部２４ｂで構成されている。溝部２４ａの幅寸法は、後述する第１アーム６７と第２アーム６８を折り畳んだ状態で挿通可能な幅寸法に形成されている。
【００１５】
図５Ａ及び図５Ｂに示すように、導光体２は、透光性を有する合成樹脂材料を成形加工したもので、円錐台形状の導光本体２５と、この導光本体２５の下端部から径方向に突出する弾性体受部２６とで構成されている。
【００１６】
導光本体２５の上面には複数の凸レンズ２５ａが形成されている。これら凸レンズ２５ａにより、光源であるＬＥＤ（Light Emitting Diode）２５ｂ（図５Ｂ参照）からの光が拡散される。
【００１７】
弾性体受部２６は鍔状で、上半部の受部本体２７と、下半部の筒状体２８とで構成されている。また弾性体受部２６は、周方向３箇所等分に切欠き２６ａが形成され、そこには爪部２９がそれぞれ形成されている。受部本体２７と筒状体２８は、切欠き２６ａによって３つの円弧状部分に分割されている。受部本体２７は、ベース１の開口部１０よりも外径寸法が大きく、その下面が底部８の上面に当接する。筒状体２８の外面は開口部１０の内面に当接し、ベース１に対して導光体２を径方向に位置決めする。また、受部本体２７の下面と筒状体２８の内面とで囲まれた空間は、図示しないＬＥＤ２５ｂを配置するための凹部３０となっている。爪部２９は、筒状体２８と同様に下方側に延び、先端部分には外径側に突出する係止爪２９ａが形成されている。係止爪２９ａは、ベース１の開口部１０に形成した係止受部１１に係止され、導光体２が開口部１０から上方側へと脱落するのを防止する。
【００１８】
図６Ａ及び図６Ｂに示すように、ボタン３は、合成樹脂材料を平面視矩形状に成形加工したもので、平板部３１と、平板部３１の対向する２辺からそれぞれ下方に延びる側壁部３２と、平板部３１の対向する残る２辺からそれぞれ側方に延びる延在部３３ａ、３３ｂとを備える。
【００１９】
平板部３１の下面中央部には筒状のスプリングガイド部３４が形成されている。また平板部３１の下面には、３辺に沿ってガイド壁３５が設けられている。ガイド壁３５の両側対向壁は、両端部分に他の部分よりも突出した当接部３６が形成されると共に、両端部を除いて内側に迫り出している。また、ガイド壁３５の両端部に位置する当接部３６の対向部分には、スライダ６をガイドするガイド溝３６ａがそれぞれ形成されている。ガイド溝３６ａを構成する一方の側壁は上下端部を除いて切除され、下端部には持上用突部３７が形成されている。持上用突部３７は、上方に向かって徐々に傾斜する下方側の傾斜面３７ａと、上方側の平坦面３７ｂとを備える。
【００２０】
側壁部３２には、さらに下方側へと延在する両端部分に軸受穴３８が形成されている。各軸受穴３８には、後述する第１アーム６７と第２アーム６８の第１軸部７１とがそれぞれ回転及びスライド可能に支持される。
【００２１】
一方の延在部３３ａには、３箇所に凹状の円弧面を有する突起３９が形成されている。平板部３１の側縁と突起３９の円弧面とで、図示しないバランスバーを支持する支持部４０が構成されている。
【００２２】
図３に戻って、コイルスプリング４は、導光体２の弾性体受部２６と、ボタン３のスプリングガイド部３４との間に配置され、ベース１に対してボタン３を上方へと付勢する。
【００２３】
接点開閉機構５は、固定接触片４１と可動接触片４２とを備え、これらは平板状の銅合金をプレス及び折り曲げ加工することにより形成される。
【００２４】
図７Ａ及び図７Ｂに示すように、固定接触片４１は、第１平面部４３と、第１平面部４３の下縁中央部から下方に延びる固定端子部４４と、第１平面部４３の一端側下縁から直交して延びる第２平面部４５と、第２平面部４５の一端縁から直交して延びる第３平面部４６と、第３平面部４６に設けた固定接点４７と、第１平面部４３の他端縁から直交して延び、第３平面部４６に対向する第４平面部４８とを備える。固定端子部４４の中央部分には第１平面部４３に至る第１係止突部４９が形成されている。第１係止突部４９がベース１の第１取付台１２に形成した第１係止溝１４に係止される。固定端子部４４が第１端子孔１５に圧入されて底部８の下面から突出する。第４平面部４８には、下縁中央部に円弧状に切り欠いた第１係止凹部５０が形成されている。第１係止凹部５０は、前記第１取付台１２の第１係止突条１６に係止される。
【００２５】
図８Ａ及び図８Ｂに示すように、可動接触片４２は、第１平面部５１と、第１平面部５１の一端側下縁から下方に延びる可動端子部５２と、第１平面部５１の一端から直交して延びる第２平面部５３と、第１平面部５１の他端から直交して延び、前記第２平面部５３に部分的に対向する第３平面部５４とを備える。可動端子部５２の中央部分には第１平面部５１に至る第２係止突部５５が形成されている。第２平面部５３には、下縁中央部に円弧状に切り欠いた第２係止凹部５６が形成されている。第２係止凹部５６は、前記第１取付台１２の第２係止突条１８に係止される。第３平面部５４は、上縁中央部に断面略Ｃ字状に屈曲した突出片５７が形成されている。突出片５７は、後述するスライダ６の押圧部５９に押圧され、第３平面部５４（さらには第１平面部５１）を弾性変形させる。第３平面部５４の先端外面には可動接点５８が設けられている。
【００２６】
図９Ａ及び図９Ｂに示すように、スライダ６は、合成樹脂材料を成形加工した平板状のものである。スライダ６は、中央部分に押圧部５９を備える。押圧部５９は、上端より所定寸法下方側から徐々に突出する第１傾斜面６０と、第１傾斜面６０に連続する、突出部分の中央が若干窪んだ凹曲面６１とを備える。また押圧部５９は、突出部分の下端側は徐々に突出寸法が小さくなる第２傾斜面６２を備える。
【００２７】
またスライダ６は、両端部に被ガイド突部６４を備える。被ガイド突部６４は、スライダ６の両端部に設けた平坦部６５の外面中央部を左右に２分するように形成されている。被ガイド突部６４は、ボタン３に形成したガイド溝３６内に挿入されて上下動可能にガイドされる。平坦部６５には、被ガイド突部６４によって２分された一方の下方側に被持上用突部６６が形成されている。被持上用突部６６の上面は、下方に向かうに従って徐々に突出する傾斜面６６ａで構成され、下面は平坦面６６ｂで構成されている。被持上用突部６６の平坦面６６ｂに持上用突部３７の平坦面３７ｂが当接し、ボタン３が上動する際、一緒に持ち上げられる。
【００２８】
図３に戻って、昇降機構７は、第１アーム６７と第２アーム６８とを備える。第１アーム６７と第２アーム６８は同一形状で、軸体６９と、その両端部から延びる腕部７０とで構成されている。軸体６９の両端部には第１軸部７１がそれぞれ形成されている。一方の腕部７０の先端側には、内側に突出する第２軸部７２と第１突起７３とが形成されている。他方の腕部７０の先端側には、前記第２軸部７２が回転可能に挿通される軸受孔７４と、内側に突出する第２突起７５とが形成されている。
【００２９】
第１アーム６７と第２アーム６８は、第１アーム６７の第２軸部７２を第２アーム６８の軸受孔７４に挿通し、第２アーム６８の第２軸部７２を第１アーム６７の軸受孔７４に挿通することにより連結される。連結された第１アーム６７と第２アーム６８とは、折り畳んだ状態で、連結部分をベース１の溝部２４ａに挿通され、逃がし凹部２４ｂで広げることにより、第１突起７３と第２突起７５とが逃がし凹部２４ｂを構成する上面に当接し、ベース１からの脱落が阻止される。また、連結された第１アーム６７と第２アーム６８とは、第１軸部７１をボタン３の軸受穴３８に挿通することによりボタン３に連結される。ボタン３は、第１軸部７１が軸受穴３８の内縁に当接することにより突出方向の移動が制限される。またボタン３は、当接部３６の下端がベース１の窪み部２０ｂの底面に当接することにより押込方向の移動が制限される。
【００３０】
続いて、前記構成からなるキースイッチ装置の組立方法を説明する。
【００３１】
ベース１の開口部１０に導光体２を配置する。導光体２の筒状体２８を開口部１０内に挿入し、鍔部２２をベース１の底部８上面に当接させる。これにより、爪部２９の係止爪２９ａが開口部１０の係止受部１１に係止され、ベース１に対して導光体２が取り付けられる。
【００３２】
ベース１の開口部１０に配置した導光体２の周囲にコイルスプリング４を配置する。この状態では、コイルスプリング４の下端部は、導光体２の弾性体受部２６に当接する。
【００３３】
ベース１の第１取付台１２に固定接触片４１を取り付け、第２取付台１３に可動接触片４２を取り付ける。固定接触片４１は、固定端子部４４をベース１の第１端子孔１５に圧入し、第１係止突部４９を第１取付台１２の第１係止溝１４に係止し、第１係止凹部５０を第１取付台１２の第１係止突条１６に係止することによりベース１に固定する。可動接触片４２は、可動端子部５２をベース１の第２端子孔１９に圧入し、第２係止突部５５を第２取付台１３の第２係止溝１７に係止し、第２係止凹部５６を第２取付台１３の第２係止突条１８に係止することによりベース１に固定する。この状態では、固定接点４７に対して可動接点５８が閉成可能に対向する。
【００３４】
第１アーム６７の第２軸部７２を第２アーム６８の軸受孔７４に挿通し、第２アーム６８の第２軸部７２を第１アーム６７の軸受孔７４に挿通することにより、第１アーム６７と第２アーム６８を連結する。そして、第１アーム６７と第２アーム６８とを、折り畳んだ状態でベース１の溝部２４ａを介して凹部３０に挿入し、Ｖ字状に広げる。さらに、ボタン３のガイド溝３６にスライダ６の被ガイド突部６４をガイドさせる。この状態で、第１アーム６７と第２アーム６８の第１軸部７１をボタン３の軸受穴３８に挿通する。これにより、ボタン３は、導光体２との間に配置したコイルスプリング４の付勢力によって突出方向に付勢される。ボタン３は、第１アーム６７と第２アーム６８の第１軸部７１が軸受穴３８の内縁に当接することにより突出方向への移動を規制される。
【００３５】
このようにして組み立てられキースイッチ装置は、ＬＥＤ２５ｂを実装したプリント基板（図示せず）上に取り付ける。キースイッチ装置の取付では、ベース１の下面に位置する導光体２の凹部３０にＬＥＤ２５ｂが入り込む。このような構造を採用することで、導光体２の高さ寸法を抑えることができる。したがって、導光体２をベース１から上方には突出しないように構成することができる。すなわち、導光体２の上端すなわち凸レンズａの表面の位置が、方形枠部９の上端位置よりも下方に位置させることができる。これにより、ベース１の高さ寸法を抑制できる。
【００３６】
なお、ボタン３には、図示しないキーキャップが装着され、キーボードのキーとなる。
【００３７】
このようにして組み立てられたキースイッチ装置では、図２に示すように、ベース１の開口部１０に配置した導光体２の周囲近傍に固定接触片４１及び可動接触片４２が配置されている。また、可動接触片４２の第３平面部４６に沿ってスライダ６が配置されている。つまり、方形枠部９で囲まれた領域に、必要最小限の部品（導光体２、コイルスプリング４、固定接触片４１、可動接触片４２及びスライダ６）を接近した状態で配置することができる。したがって、平面視での底部８の占有面積を抑えることが可能となる。
【００３８】
また、ベース１の開口部１０に導光体２の筒状体２８を配置し、爪部２９の係止爪２９ａを開口部１０の係止受部１１に係止することにより、ベース１に導光体２を取り付ける。このとき、筒状体２８によって形成される凹部３０内にＬＥＤ２５ｂが入り込む。また、図１０に示すように、導光体２の上端がベース１の上端から突出することはない。しかも、ボタン３の内面に一端側を圧接させたコイルスプリング４の他端側を、導光体２の鍔部２２に直接圧接させている。これにより、キースイッチ装置の高さ寸法を抑えることができる。つまり、キースイッチ装置の低背化が実現する。
【００３９】
次に、前記構成からなるキースイッチ装置の動作を説明する。
【００４０】
図示しないキーキャップを押込操作していない初期状態では、ボタン３はコイルスプリング４の付勢力によって上方に付勢され、第１アーム６７と第２アーム６８の各第１軸部７１が第２アーム６８と第１アーム６７の各軸受穴３８の内縁に当接している。これにより、ボタン３は突出位置に位置決めされる。この状態では、図１１に示すように、可動接触片４２は突出片５７をスライダ６の押圧部５９に押圧され、可動接点５８が固定接触片４１の固定接点４７から開離している。
【００４１】
キーキャップを介してボタン３を、コイルスプリング４の付勢力に抗して押し下げると、一緒にスライダ６も下方へと移動する。このとき、可動接触片４２の突出片５７はスライダ６の凹曲面６１から第１傾斜面６０へと圧接位置を変更する。これにより、可動接触片４２の第３平面部４６に蓄えられた弾性エネルギーが、スライダ６を下方側へと付勢する力に変換される。この結果、ボタン３に対してスライダ６が単独で下方に移動し、被持上用突部６６の下端の平坦面６６ｂをボタン３の持上用突部３７の平坦面３７ｂに衝突させて音を発生させる。単にスライダ６が自重により落下するだけでなく、可動接触片４２からの弾性力を作用させることができるので、発生する音を大きくすることが可能となる。したがって、前記構成のキースイッチ装置を備えたキーボードであれば、ユーザは押込操作が適切に行われたことを明確に認識することができる。また、前記キーボードをゲーム等で使用したとすれば、その押込操作により十分な音を発生させて使用状況に相応しいものとすることができる。また、弾性変形していた可動接触片４２が形状を復帰して真っ直ぐに延びることにより、可動接点５８が固定接点４７に閉成する。
【００４２】
ボタン３の押込操作を解除すると、コイルスプリング４の付勢力によりボタン３が上動する。ボタン３は、第１アーム６７と第２アーム６８の第１軸部７１が軸受穴３８の内縁に当接し、初期位置へと復帰する。スライダ６は、被持上用突部６６の平坦面６６ｂにボタン３に形成した持上用突部３７の平坦面３７ｂが当接して持ち上げられ、押圧部５９が可動接触片４２の突出片５７を押圧して第３平面部５４（さらには第１平面部５１）を弾性変形させる。これにより、可動接点５８が固定接点４７から開離し、初期状態に復帰する。
【００４３】
なお、本発明は、前記実施形態に記載された構成に限定されるものではなく、種々の変更が可能である。
【００４４】
前記実施形態では、導光体２に受部本体２７と係止爪２９ａを設け、ベース１の開口部１０に形成した係止受部１１に係止する係止構造を採用したが、これらの構成は必ずしも必要なものではない。すなわち、導光体２の下方側には、図示しないが、ＬＥＤ２５ｂを実装するプリント基板が配置される。このため、導光体２をプリント基板とスプリングとで挟持した状態となっているので、前記係止構造は必ずしも必要なものではない。
【００４５】
前記実施形態では、弾性体としてコイルスプリング４の例を開示したが、これに限らず、スポンジ、ゴム等の他の弾性部品を使用してもよい。
【００４６】
本発明の第１態様のキースイッチ装置では、
中央部分に開口部を有するベースと、
前記開口部に配置されるように前記ベースに支持され、弾性体受部を有する導光体と、
前記ベースに対して接離可能に取り付けられて前記導光体を覆うボタンと、
前記弾性体受部と前記ボタンの下面との間に配置され、前記ベースに対して前記ボタンを離間方向へと付勢する弾性体と、
固定接点を有し、前記ベースに取り付けられる固定接触片と、
前記ベースに対して前記ボタンを接近方向に動作させることによって前記固定接点に閉成する可動接点を有し、前記ベースに取り付けられる可動接触片と、
を備える。
【００４７】
第１態様のキースイッチ装置によれば、導光体をベースの開口部に配置し、弾性体を導光体の弾性体受部に直接圧接させることで、平面視で導光体の内側に配置されているので、占有面積を抑制できる。また、導光体に直接、弾性体を付勢しているので、低背化が可能となる。
【００４８】
本発明の第２態様のキースイッチ装置では、前記導光体の上端は、前記ベースの上端よりも下方側に配置されている。
【００４９】
第２態様のキースイッチ装置によれば、導光体がベースの上面から突出しない低背の構成とすることができる。また、ボタンを導光体との干渉を考慮する必要のない簡単な構成とすることができる。
【００５０】
本発明の第３態様のキースイッチ装置では、前記導光体は、円錐台形状の導光本体と、前記導光本体から径方向に突出する前記弾性体受部とを有する。
【００５１】
本発明の第４態様のキースイッチ装置では、前記導光体の下部にＬＥＤが配置される凹部が形成されている。
【００５２】
第４態様のキースイッチ装置によれば、導光体の内部にＬＥＤを入れ込むようにしているので、より一層の低背化を実現できる。
【００５３】
本発明の第５態様のキースイッチ装置は、
押圧部を有し、前記ベースに上下方向にスライド可能に支持され、前記ボタンの押込操作によって下方に移動するスライダを、前記可動接触片の近傍にさらに備え、
前記可動接触片は、前記押圧部に押圧される押圧受部を有し、
前記スライダは、下方に移動する際、前記押圧部が前記押圧受部を乗り越えた後、前記押圧受部を下方に付勢し、前記ベース又はボタンの一部に衝突させて音を発生させるように構成されている。
【００５４】
第５態様のキースイッチ装置によれば、低背であるにも拘わらず、ボタンを押し込むことにより、ベースにスライダを衝突させて音を発生させることができる。
【産業上の利用可能性】
【００５５】
本発明に係るキースイッチ装置は、キーボード等に採用することができる。
【符号の説明】
【００５６】
１…ベース
２…導光体
３…ボタン
４…コイルスプリング（弾性体）
５…接点開閉機構
６…スライダ
７…昇降機構
８…底部
９…方形枠部
１０…開口部
１１…係止受部
１２…第１取付台
１３…第２取付台
１４…第１係止溝
１５…第１端子孔
１６…第１係止突条
１７…第２係止溝
１８…第２係止突条
１９…第２端子孔
２０ａ，２０ｂ…窪み部
２１ａ，２１ｂ…側面壁
２２…鍔部
２３…押出防止壁
２４…凹所
２５…導光本体
２６…弾性体受部
２７…受部本体
２８…筒状体
２９…爪部
３０…凹部
３１…平板部
３２…側壁部
３３ａ，３３ｂ…延在部
３４…スプリングガイド部
３５…ガイド壁
３６…ガイド溝
３７…傾斜面
３８…軸受穴
３９…突起
４０…支持部
４１…固定接触片
４２…可動接触片
４３…第１平面部
４４…固定端子部
４５…第２平面部
４６…第３平面部
４７…固定接点
４８…第４平面部
４９…第１係止突部
５０…第１係止凹部
５１…第１平面部
５２…可動端子部
５３…第２平面部
５４…第３平面部
５５…第２係止突部
５６…第２係止凹部
５７…突出片
５８…可動接点
５９…押圧部
６０…第１傾斜面
６１…凹曲面
６２…第２傾斜面
６４…被ガイド突部
６５…平坦部
６６…被持上用突部
６７…第１アーム
６８…第２アーム
６９…軸体
７０…腕部
７１…第１軸部
７２…第２軸部
７３…第１突起
７４…軸受孔
７５…第２突起
【図１】
2018156733.tif 000003
【図２】
2018156733.tif 000004
【図３】
2018156733.tif 000005
【図４Ａ】
2018156733.tif 000006
【図４Ｂ】
2018156733.tif 000007
【図５Ａ】
2018156733.tif 000008
【図５Ｂ】
2018156733.tif 000009
【図６Ａ】
2018156733.tif 000010
【図６Ｂ】
2018156733.tif 000011
【図７Ａ】
2018156733.tif 000012
【図７Ｂ】
2018156733.tif 000013
【図８Ａ】
2018156733.tif 000014
【図８Ｂ】
2018156733.tif 000015
【図９Ａ】
2018156733.tif 000016
【図９Ｂ】
2018156733.tif 000017
【図１０】
2018156733.tif 000018
【図１１】
2018156733.tif 000019